(57)【要約】      （修正有）【課題】排水管詰り除去に使用した後の詰り除去具を、柄を上向きにしてカップ部を収容することにより、カップ部の水切り及び水分の乾燥を効果的に行うことができる詰り除去具ケースの提供、及び、詰り除去具を収容ケースごと移動させることができる詰り除去具ケースを提供する。【解決手段】詰り除去具ケースＣは、前方開口部、底部１２、周壁部１４、及び上部を有し、上部には、柄Ｒ２を前方から嵌合させて上方に突出させるための前方開放の切欠部１８を有する。底部１２の上側は、後方に向かって下降傾斜した傾斜面２０と、その面から上方に突起する前後方向の突条部２２を有し、突条部２２上にカップ部Ｒ１を支持する。上部の下面は前方に向かって上昇傾斜しており、上部における切欠部１８の両側にそれぞれ垂下部２４が設けられ、それらの垂下部２４の下部が水平状部２４ａに形成されている。【選択図】図２
0003167112.tif 000002
【実用新案登録請求の範囲】
【請求項１】
正圧及び負圧を発生させるためのカップ部を柄の先端部に有してなる排水管詰り除去具の前記カップ部を、柄を上向きにして収容するための詰り除去具ケースであって、
前方開口部、底部、周壁部、及び上部を有し、
前記上部には、柄を前方から嵌合させて上方に突出させるための前方開放の切欠部を有し、
前記底部の上側は、後方に向かって下降傾斜した傾斜面と、その面から上方に突起する支持突部を有し、前記支持突部上に前記カップ部を支持するものであることを特徴とする詰り除去具ケース。
【請求項２】
支持突部が前後方向の突条部である請求項１記載の詰り除去具ケース。
【請求項３】
上記上部における切欠部の両側の下部が水平状部に形成されている請求項１記載の詰り除去具ケース。
【請求項４】
上記上部における切欠部の両側の下部が水平状部に形成されている請求項２記載の詰り除去具ケース。
【考案の詳細な説明】
【技術分野】
【０００１】
本考案は、正圧及び負圧を発生させるためのカップ部を柄の先端部に有してなる排水管詰り除去具の前記カップ部を、柄を上向きにして収容するための詰り除去具ケースに関する。
【背景技術】
【０００２】
実用新案登録第３０２８８２０号公報（特許文献１）には、軟質弾性材により下面が開口した半球状のカップ（１１）を設け、該カップ（１１）の頂部に所定長さの操作杆（１８）を連結してなる水洗式便器の排水口詰まり解除用具が記載されている。
【０００３】
このような排水管詰り除去具を排水管詰り除去に使用すると、カップ部に、排水管関連の水分が相当量付着した状態となるため、特に家庭においては、カップ部に付着した水分を受けて他に漏れないようにすることができるケースが要望される。
【０００４】
このようなケースの例としては、単なる有底筒状体であってカップ部を上方から挿入して載置するものがあるほか、意匠登録第８１１０３５号公報（特許文献２）記載の柄付ブラシ収納具のように、開閉部を設けてカップ部を内部に収容するものがある。
【０００５】
しかしながら、排水管詰り除去具のカップ部を上方から挿入して載置する有底筒状体の場合、排水管詰り除去具の柄を引き上げると有底筒状体から上方に抜けてしまうため、柄を引き上げてケースごと移動することはできない。また、開閉部を設けてカップ部を内部に収容するものの場合、カップ部に付着した水分の乾燥が妨げられる。
【先行技術文献】
【特許文献】
【０００６】
【特許文献１】実用新案登録第３０２８８２０号公報
【特許文献２】意匠登録第８１１０３５号公報
【考案の概要】
【考案が解決しようとする課題】
【０００７】
本考案は、従来技術に存した上記のような課題に鑑み行われたものであって、その目的とするところは、排水管詰り除去に使用した後の詰り除去具を、柄を上向きにしてカップ部を収容することにより、カップ部の水切り及び水分の乾燥を効果的に行うことができる詰り除去具ケースの提供、及び、詰り除去具を収容ケースごと移動させることができる詰り除去具ケースの提供にある。
【課題を解決するための手段】
【０００８】
上記目的を達成する本考案の詰り除去具ケースは、
正圧及び負圧を発生させるためのカップ部を柄の先端部に有してなる排水管詰り除去具の前記カップ部を、柄を上向きにして収容するための詰り除去具ケースであって、
前方開口部、底部、周壁部、及び上部を有し、
前記上部には、柄を前方から嵌合させて上方に突出させるための前方開放の切欠部を有し、
前記底部の上側は、後方に向かって下降傾斜した傾斜面と、その面から上方に突起する支持突部を有し、前記支持突部上に前記カップ部を支持するものであることを特徴とする。
【０００９】
詰り除去具ケースの底部の上側は、後方に向かって下降傾斜した傾斜面と、その面から突起して前記カップ部を支持する支持突部を有する。排水管詰り除去に使用した後の詰り除去具における柄を、切欠部に前方から嵌合させ、柄が上方に突出した状態でカップ部を収容した場合、カップ部は傾斜面から上方に突起した支持突部上に支持されるので、カップ部に残っている水分のうち相当部分は傾斜面に流下し、傾斜面上を後方に向かって流れる。これによりカップ部の水切りを効果的に行うことができ、而も、前方開口部を通じて水分の乾燥が効果的に行われる。 
【００１０】
詰り除去具を詰り除去具ケースごと移動させた場合、傾斜面が後方に傾斜しているため、傾斜面上に流下した水分が前方開口部から外部へ流出することが効果的に防がれる。
【００１１】
上記詰り除去具ケースにおける支持突部は、前後方向の突条部であることが好ましい。
【００１２】
支持突部が前後方向の突条部であるため、傾斜面に流下した水分が、傾斜面上を後方に向かって流れ易く、水分が前方開口部から溢れることが防がれる。
【００１３】
本考案の詰り除去具ケースは、上記上部における切欠部の両側の下部が水平状部に形成されているものとすることが好ましい。
【００１４】
上部における切欠部の両側の下部が水平状部に形成されているので、カップ部が詰り除去具ケースに収容された状態で柄を引き上げた場合、カップ部がその水平状部によりほぼ水平状に支持される。そのため、後方傾斜の傾斜面上に流下した水分が前方開口部から外部へ流出することを防ぎつつ、柄を引き上げた状態で詰り除去具を詰り除去具ケースごと移動させることができる。
【考案の効果】
【００１５】
本考案の詰り除去具ケースによれば、排水管詰り除去に使用した後の詰り除去具における柄を切欠部に嵌合させて上向きに突出させた状態でカップ部を収容することにより、カップ部の水切り及び水分の乾燥を効果的に行うことができ、詰り除去具を詰り除去具ケースごと移動させた場合、傾斜面上に流下した水分が前方開口部から外部へ流出することが効果的に防がれる。
【図面の簡単な説明】
【００１６】
【図１】正面図である。
【図２】図１におけるII-II断面図である。
【図３】平面図である。
【図４】背面図である。
【図５】側面図である。
【考案を実施するための形態】
【００１７】
本考案の実施の形態を、図面を参照しつつ説明する。
【００１８】
図面は何れも本考案の詰り除去具ケースの実施の形態の一例に関するものであって、図１は正面図、図２は、図１におけるII-II断面図、図３は平面図、図４は背面図、図５は側面図である。
【００１９】
詰り除去具ケースＣは、正圧及び負圧を発生させるためのゴム状材料製のカップ部Ｒ１（プランジャ部）を柄Ｒ２の先端部に有してなる排水管詰り除去具Ｒにおけるカップ部Ｒ１を、柄Ｒ２を上向きにして収容するためのものである。
【００２０】
詰り除去具ケースＣは、前方開口部１０、底部１２、前方開口部１０を除いて底部１２の周囲上方を取り囲む周壁部１４、及び周壁部１４の上方を覆う上部１６を有し、上部１６には、柄Ｒ２を前方から嵌合させて上方に突出させるための前方開放の切欠部１８を有する。なお、例えば、切欠部の上方に、前方開口の上下方向溝状をなし、前方から柄を収容し得る柄支持部又は柄収容部等を有してもよい。
【００２１】
底部１２の上側は、後方に向かって下降傾斜した傾斜面２０と、その面から上方に突起する前後方向の突条部２２（支持突部）を有し、前記突条部２２上にカップ部Ｒ１を支持するものである。
【００２２】
上部１６の下面は前方に向かって上方に傾斜しており、上部１６における切欠部１８の両側にそれぞれ垂下部２４が設けられ、それらの垂下部２４の下部が水平状部２４ａに形成されている。
【００２３】
排水管詰り除去に使用した後の詰り除去具における柄Ｒ２を、切欠部１８に前方から嵌合させ、柄Ｒ２が上方に突出した状態でカップ部Ｒ１を収容した場合、カップ部Ｒ１は傾斜面２０から上方に突起した突条部２２上に支持されるので、カップ部Ｒ１に残っている水分のうち相当部分は傾斜面２０に流下し、傾斜面２０上を後方に向かって流れる。突条部２２は前後方向であるため、傾斜面２０に流下した水分が、傾斜面２０上を後方に向かって流れ易く、水分が前方開口部１０から溢れることが防がれる。これによりカップ部Ｒ１の水切りを効果的に行うことができ、而も、前方開口部１０を通じて水分の乾燥が効果的に行われる。
【００２４】
また、上部１６における切欠部１８の両側の垂下部２４の下部が水平状部２４ａに形成されているので、カップ部Ｒ１が詰り除去具ケースＣに収容された状態で柄Ｒ２を引き上げた場合、カップ部Ｒ１がその水平状部２４ａによりほぼ水平状に支持される。そのため、後方傾斜の傾斜面２０上に流下した水分が前方開口部１０から外部へ流出することを効果的に防ぎつつ、柄Ｒ２を引き上げた状態で詰り除去具Ｒを詰り除去具ケースＣごと移動させることができる。
【００２５】
なお、以上の実施の形態についての記述における上下位置関係は、単に図に基づいた説明の便宜のためのものであって、実際の使用状態等を限定するものではない。
【符号の説明】
【００２６】
１０      前方開口部
１２      底部
１４      周壁部
１６      上部
１８      切欠部
２０      傾斜面
２２      突条部
２４      垂下部
２４ａ    水平状部
Ｃ        詰り除去具ケース
Ｒ        詰り除去具
Ｒ１      カップ部
Ｒ２      柄
【図１】
0003167112.tif 000003
【図２】
0003167112.tif 000004
【図３】
0003167112.tif 000005
【図４】
0003167112.tif 000006
【図５】
0003167112.tif 000007